【事件の表示】
　特許第２７３１８４０号「水栓」の請求項１ないし６に係る特許に対する特許異議の申立てについて、次のとおり決定する。
【結論】
　訂正を認める。
　特許第２７３１８４０号の請求項１ないし５に係る特許を維持する。
【理由】
［１］手続きの経緯
　本件特許第２７３１８４０号発明は、平成５年４月１３日に特許出願され、平成９年１２月２６日にその特許の設定登録がなされ、その後、同１０年９月７日付で株式会社ケーブイケーより、特許異議の申立てがなされ、同１１年４月１２日に取消理由通知がなされ、さらに同１１年１１月１１日に取消理由通知がなされ、その指定期間内である平成１１年１１月１１日に訂正請求がなされたものである。
［２］訂正の適否についての判断
（１）訂正の内容
　特許権者は、訂正請求書において、本件特許明細書を下記の通りに訂正しようとするものである。
　請求項１について、
　（あ）特許公報第１頁第１欄第１５行の「内周面にー以上の段差を有する」を「内周面にー以上の段差を有し、更に、前記内部部材の端面または該内部部材の外周面に形成された段差部端面と前記外部部材の内周面に形成された段差部端面との間に設けられ、前記間隙を遮断するシール部材を備える」
　請求項２について
　（い）特許公報第２欄第２〜４行の「請求項１記載の水栓であって、前記内部部材は、該内部部材の通路を流れる流体を制御する弁装置を備えるものである水栓。」を
「請求項１記載の水栓であって、前記外部部材は前記シール部材が接触する前記内周面について二次加工が不要な樹脂材料で形成されている水栓。」
　請求項３について
　（う）特許公報第２欄第６〜８行の「前記弁装置は、前記内部部材の通路に嵌挿される所定形状のハウジングを有し、該ハウジング内に流体を制御する機能の少なくとも一部を納めたものである水栓。」を「前記内部部材は、該内部部材の通路を流れる流体を制御する弁装置を備えるものである水栓。」
　請求項４について
　（え）特許公報第２欄第９〜１３行の「請求項１ないし３いずれか記載の水栓であって、
　前記挿入穴は、前記内部部材が該内部部材の通路に流れる流体を制御する弁装置を備える場合には該弁装置と該弁装置の駆動部とを連絡する連絡口である水栓。」を「請求項３記載の水栓であって、
　前記弁装置は、前記内部部材の通路に嵌挿される所定形状のハウジングを有し、該ハウジング内に流体を制御する機能の少なくとも一部を納めたものである水栓。」
　請求項５について
　（お）特許公報第２欄第１４行〜第３欄第３行の「請求項１ないし請求項４いずれか記載の水栓であって、
　前記外部部材の内周面と前記内部部材の外周面との間に設けられ、前記間隙を遮断するシール部材を備えた水栓。」を「請求項２ないし請求項４いずれか記載の水栓であって、
　前記挿入穴は、前記内部部材が該内部部材の通路に流れる流体を制御する弁装置を備える場合には該弁装置と該弁装置の駆動部とを連絡する連絡口である水栓。」
　請求項６について
　（か）特許公報第３欄第４〜６行の「請求項１ないし請求項４いずれか記載の水栓であって、
　前記内部部材の端面または該内部部材の外周面に形成された段差部端面と前記外部部材の内周面との間に設けられ、前記間隙を遮断するシール部材を備えた水栓。」を削除。
　発明の詳細な説明について
　（き）明細書段落番号【０００７】（特許公報第４欄第９行）の「内周面にー以上の段差を有することを要旨とする。」を、「内周面にー以上の段差を有し、更に、前記内部部材の端面または該内部部材の外周面に形成された段差部端面と前記外部部材の内周面に形成された段差部端面との間に設けられ、前記間隙を遮断するシール部材を備えることを要旨とする。請求項２記載の水栓は、請求項１記載の水栓であって、記外部部材は、前記シール部材が接触する前記内周面について二次加工が不要な樹脂材料で形成されている水栓。」
　（く）明細書段落番号【０００８】（特許公報第４欄第１１行）の「請求項１記載」を「請求項２記載」
　（け）明細書段落番号【０００９】（同公報第４欄第１８行）の「請求項１ないし３」を「請求項２ないし４」
　（こ）明細書段落番号【００１１】（同公報第４欄第２４〜３１行）の「請求項１ないし４いずれか記載・・・構成することもできる。」を削除
　（さ）明細書段落番号【００１２】（同公報第４欄第３３行）の「請求項１記載」を「請求項１又は請求項２記載」
　（し）明細書段落番号【００１２】（同公報第４欄第３８〜３９行）の「この請求項１記載」を「これら各請求項に記載」
　（す）明細書段落番号【００１２】（同公報第５欄第１８行）の「研削・研磨等」を「内部部材の研削・研磨等」
　（せ）明細書段落番号【００１２】（同公報第５欄第２３行）の「層を有してもよい。」を「層を有してもよい。特に、請求項１記載の水栓では、内部部材を外部部材に嵌挿する際、シール部材はシール部以外の外部部材に接触することがなく、シール部材の位置ずれや損傷を防止する。また、挿入方向への圧着強さを調整することができるので、最適なシール効果を得ることができる。
　請求項２記載の水栓では、間隙遮断のためのシール部材が接触する外部部材内周面について二次加工が不要な樹脂材料で外部部材を形成するので、この形成された外部部材の内周面の表面は二次加工無しで滑らかなものとなる。」
　（そ）明細書段落番号【００１３】（同公報第５欄第２４行）の「請求項１記載」を「これら請求項１又は請求項２記載」
　（た）明細書段落番号【００１４】（同公報第５欄第３１行）の「請求項２記載」を「請求項３記載」
　（ち）明細書段落番号【０１５】（同公報第５欄第３５行）の「請求項３記載」を「請求項４記載」
　（つ）明細書段落番号【００１６】（同公報第５欄第３８行）の「請求項４記載」を「請求項５記載」
　（て）明細書段落番号【００２０】及び【００２１】（同公報第５欄第４４行〜第６欄第３行）の「請求項５記載の水栓は、・・・得ることができる。」を削除
　（と）明細書段落番号【００５６】（同公報第１４欄第３９行）の「請求項１記載」を「請求項１又は請求項２記載」
　（な）明細書段落番号【００５６】（同公報第１４欄第４４行）の「この請求項１記載」を「これら請求項１又は請求項２記載」
　（に）明細書段落番号【００５６】（同公報第１５欄第２行）の「研削・研磨等」を「内部部材の研削・研磨等」
　（ぬ）明細書段落番号【００５６】（同公報第１５欄第５行）の「大量生産することができる。」を「大量生産することができる。特に、請求項１記載の水栓では、内部部材を外部部材に嵌挿する際、シール部材はシール部以外の外部部材に接触することがなく、シール部材の位置ずれや損傷を防止する。また、内部部材の挿入方向への圧着強さを調整することができるので、シール部材に適した圧着強さを得ることができ、最適なシール効果を得ることができる。
　請求項２記載の水栓では、間隙遮断のためのシール部材が接触する外部部材内周面について二次加工が不要な樹脂材料で外部部材を形成するので、この形成された外部部材の内周面の表面は二次加工無しで滑らかなものとなる。よって、樹脂を用いて形成された次加工が不要なことと相まって、内外部材共にシール部材が接触する部分について二次加工が不要となる。」
　（ね）明細書段落番号【００５７】（同公報第１５欄第６行）の「請求項２記載」を「請求項３記載」
　（の）明細書段落番号【００５８】（同公報第１５欄第１１行）の「請求項３記載」を「請求項４記載」
　（は）明細書段落番号【００５９】（同公報第１５欄第１８行）の「請求項４記載」を「請求項５記載」
　（ひ）明細書段落番号【００６１】及び【００６２】（同公報第１５欄第２３〜３５行）の「請求項５記載の水栓では、・・・得ることができる。」を削除
（２）訂正の目的の適否、新規事項の追加の有無及び拡張・変更の存否
　ａ．上記訂正事項（あ）は、訂正前の請求項１に記載された総ての構成を備え、この構成に訂正前の請求項６に記載された構成「前記内部部材の端面または該内部部材の外周面に形成された段差部端面と前記外部部材の内周面に形成された段差部端面との間に設けられ、前記間隙を遮断するシール部材を備えること」を付加して限定するものである。そして、この構成については、特許明細書段落番号【００４９】の「外側ケーシング５０ａの段差部端面と混合弁ケーシング６２ａまたは切換弁６６ａの段差部端面との間にＯリングを設置し、各流路をシールする」、段落番号【００５２】の「シール部材Ｆ、Ｇは、内部部材Ｂの各段差部の端面に設置され、外部部材Ａの対応する段差部の端面に押しつけられることにより、流路Ｃ、Ｄを遮断する。」及び第５図に記載されている。したがって、訂正事項（あ）は、特許請求の範囲の減縮を目的としたものである。そして、訂正事項（あ）は、願書に添付した明細書又は図面に記載した事項の範囲内の訂正であり、実質的に特許請求の範囲を拡張又は変更するものではない。
　ｂ．上記訂正事項（い）は、構成を限定した訂正後の請求項１を引用し、さらに「外部部材は、前記シール部材が接触する前記内周面について二次加工が不要な樹脂材料で形成されている」という構成を付加して限定するものである。そして、この構成については、特許明細書段落番号【００４３】の「外側ケーシング５０をもＰＰＳにより形成したので・・・内周面を研削・研磨等をする必要がない。」及び段落番号【００５６】の「Ｏリング等のシール部材が接触する部分については研削・研磨等の二次加工を不要とすることができる。」に記載されている。したがって、訂正事項（い）は、特許請求の範囲の減縮を目的としたものである。そして、訂正事項（い）は、願書に添付した明細書又は図面に記載した事項の範囲内の訂正であり、実質的に特許請求の範囲を拡張又は変更するものではない。
　ｃ．上記訂正事項（う）は、構成を限定した訂正後の請求項２を引用し、さらに訂正前の請求項２に記載された構成をそのまま備えるものである。したがって、訂正事項（う）は、特許請求の範囲の減縮を目的としたものである。そして、訂正事項（う）は、願書に添付した明細書又は図面に記載した事項の範囲内の訂正であり、実質的に特許請求の範囲を拡張又は変更するものではない。
　ｄ．上記訂正事項（え）は、構成を限定した訂正後の請求項３を引用し、さらに訂正前の請求項３に記載された構成をそのまま備えるものである。したがって、訂正事項（え）は、特許請求の範囲の減縮を目的としたものである。そして、訂正事項（え）は、願書に添付した明細書又は図面に記載した事項の範囲内の訂正であり、実質的に特許請求の範囲を拡張又は変更するものではない。
　ｅ．上記訂正事項（お）は、構成を限定した訂正後の請求項２ないし請求項４を引用し、さらに訂正前の請求項４に記載された構成をそのまま備えるものである。したがって、訂正事項（お）は、特許請求の範囲の減縮を目的としたものである。そして、訂正事項（お）は、願書に添付した明細書又は図面に記載した事項の範囲内の訂正であり、実質的に特許請求の範囲を拡張又は変更するものではない。
　ｆ．上記訂正事項（か）は、上記訂正事項（あ）との整合性をはかるため削除するものである。
　ｇ．上記訂正事項（き）乃至（ひ）は、特許請求の範囲の訂正事項（あ）乃至（お）の訂正に伴って発明の詳細な説明の記載を整合させるものであり、明瞭でない記載の釈明に相当し、願書に添付した明細書又は図面に記載した事項の範囲内の訂正であり、実質的に特許請求の範囲を拡張又は変更するものではない。
（３）独立特許要件の判断
（訂正明細書の請求項１乃至５に係る発明）
　訂正明細書の請求項１乃至請求項５に係る発明（以下「本件発明１乃至本件発明５」という。）は、訂正明細書の請求項１乃至請求項５に記載されたとおりの次のものと認める。
　【請求項１】　供給された流体を吐水口から吐水する水栓であって、
　前記流体が流れ込む入口と前記吐水口に繋がる出口と、該入口と出口を連通する通路とを有し、樹脂を用いて形成された内部部材と、
　前記内部部材を挿入する挿入穴と、該挿入穴に連通し、該内部部材を収納する収納空間とを有する外部部材とを備え、
　前記内部部材は、外周面に、挿入方向先端に向かって外径が小さくなる一以上の段差を有し、
　前記外部部材は、前記収納空間に収納された前記内部部材の外周面と該外部部材の内周面との間に前記内部部材の入口および／または出口と連通する間隙を形成するよう、内周面にー以上の段差を有し、
　更に、
前記内部部材の端面または該内部部材の外周面に形成された段差部端面と前記外部部材の内周面に形成された段差部端面との間に設けられ、前記間隙を遮断するシール部材を備えること
　を特徴とする水栓。
　【請求項２】　請求項１記載の水栓であって、
　前記外部部材は、前記シール部材が接触する前記内周面について二次加工が不要な樹脂材料で形成されている水栓。
　【請求項３】　請求項２記載の水栓であって、
　前記内部部材は、該内部部材の通路を流れる流体を制御する弁装置を備えるものである水栓。
　【請求項４】　請求項３記載の水栓であって、
　前記弁装置は、前記内部部材の通路に嵌挿される所定形状のハウジングを有し、
該ハウジング内に流体を制御する機能の少なくとも一部を納めたものである水栓。
　【請求項５】　請求項２ないし請求項４いずれか記載の水栓であって、
　前記挿入穴は、前記内部部材が該内部部材の通路に流れる流体を制御する弁装置を備える場合には該弁装置と該弁装置の駆動部とを連絡する連絡口である水栓。
（引用刊行物及び甲第１号証）
　これに対して、当審が通知した取消理由で引用した刊行物１（特開平２−２５６７２７号公報）、刊行物２（実願昭６２−１８３３６２号（実開平１−８７３８４号）のマイクロフィルム）及び刊行物３（ＷＯ９２／１４０８６号公報及びその訳文として特表平６−５０５０８３号公報（以下、「訳文」という。））には、下記の発明が記載されていると認める。
　刊行物１
　水栓本体に湯室、水室、混合室、シャワー室、バス室を設けてこれらを一軸上に配置し、水栓本体の一端側に前記混合室へ供給する湯と水との混合量を調節する温調ハンドルを配設し、水栓本体の他端側に混合室とシャワー室又はバス室とを選択的に連通させる切換弁の操作ハンドルを配設したことを特徴とするシャワーバス水栓。（特許請求の範囲請求項１）
　同図に示す如く、このシャワーバス水栓２０にあっては、水栓本体２１内に湯室２２、水室２３、混合室２４、シャワー室２５及びバス室２６を一軸上に左端側からこの順序で配設している。そして、湯室２２と水室２３との間に、混合室２４へ流入する湯と水の量を調節するサーモスタット付きの温度調節弁２７が配設されている。この温度調節弁２７は、水栓本体２１の左端側に取り付けた温調ハンドル２８を回動操作してスピンドル２９の軸方向位置を変更することにより、湯と水の流量比を変更することができ、混合水の温度を所望する温度に設定することが可能である。
　またシャワー室２５とバス室２６との間には、混合室２４において所望する温度に混合された温水を、シャワー室２５か又はバス室２６のいずれか一方へ供給するための切換弁３０が配設されている。切換弁３０は、第６図の図（ａ）乃至図（ｄ）に示す固定されるディスク弁体３１と、第７図の図（ａ）乃至図（ｄ）に示す可動するディスク弁体３２とが、密着してホルダー３３内に嵌合装着されている。（第３頁右欄上段第１〜２０行）
　刊行物２
　混合水温度調節用機能部分を構成する部品の大部分を、エンジニアリングプラスチック製としたことを特徴とする湯水混合栓。（実用新案登録請求の範囲）
　刊行物３
　調整ユニットの可動部品は金属またはプラスチックから作ることができ、またピストン・スライドと圧力調整ピストンは入籠（いれこ）になっているので、容易に分解することができる。よって、必要が生じた場合には、該要素の一つを他方から取外すことなく、両方同時に新しい要素と交換することができる。
　これに反し、両方の要素を交換する必要がない場合には、ピストン・スライドを調節弁本体から容易に取外すことができる。（訳文第４頁左欄下段第１〜９行）、
　弁ハウジング２の他方の開口部４にはインサート３０がねじこまれ、インサート３は温度調節ノブ、つまり制御ノブが設けられ、また調節ユニットを収容する。（訳文第５頁右欄下段第１５〜１８行）、
　調節ユニットは２個の相互に同心の部分を含む。一つは、おおまかに言ってサーモスタット素子４５と温度調節本体５０（図３に示される）とを関連の可動ピン４６とともに含む温度感応部分であり、もう一つは、温度調節本体５０内に軸方向運動するように収容されるピストン・スライド６０（図５に示す）を主に含む温度感応部分である。（訳文第６頁左欄上段第２２〜同頁右欄上段第３行）、
　ピストン・スライド６０の方は、送られる熱水と冷水に生じている圧力差に応答して、回りの温度調節弁本体５０に対して軸方向に両方向に移動することができる。（訳文第６頁右欄上段第１２〜１４行）、
　温度調節弁本体５０は、ねじ結合することのできる２個の半部５１、５２を含む中空のスリーブ状本体を含む。スリーブ半部５１はねじを切った端フランジ５１ａを有し、これは、スリーブ半部５２の対応する端フランジ５２ａ上のめねじ部に協働する。よって、２個のスリーブ半部５１、５２は、ピストン・スライドを挿入した後で結合することができる。（訳文第６頁右欄上段第１９〜２５行）、
　また、申立人株式会社ケーブイケーが提出した甲第４号証（特開昭６０−１４６６０号公報）には、下記の発明が記載されていると認める。
　甲第４号証
　筒状のケージを分割することによって形成された上部ケージおよび下部ケージの分割端部を互いに嵌合可能な段状に形成すると共に、周壁に穿設された流体通過用窓およびこの窓の上下に設けられかつ口径が異なる弁座を前記下部ケージに設け、これら両ケージの分割端面にそれぞれ互いに対向する環状溝を設け、これら環状溝内に前記ケージと異なる熱膨張係数を有する材料で形成された環状シール材を圧挿したことを特徴とするケージ弁。（特許請求の範囲）
　（対比・判断）
　本件発明１と刊行物１乃至刊行物３及び甲第４号証に記載の発明とを対比すると、刊行物１乃至刊行物３及び甲第４号証に記載の発明は、本件発明１を特定する事項である「内部部材は、外周面に、挿入方向先端に向かって外径が小さくなる一以上の段差を有し、外部部材は、収納空間に収納された前記内部部材の外周面と該外部部材の内周面との間に前記内部部材の入口および／または出口と連通する間隙を形成するよう、内周面にー以上の段差を有し、更に、前記内部部材の端面または該内部部材の外周面に形成された段差部端面と前記外部部材の内周面に形成された段差部端面との間に設けられ、前記間隙を遮断するシール部材を備える」という事項を備えておらず、また、当該事項により本件発明１は、「内部部材の外周面に、挿入方向先端に向かって外径が小さくなる段差を有する形状としたので、外部部材と内部部材との間に間隙を形成することができ、この間隙の一部を流体の通路として用いることができる。また、内部部材を樹脂により形成するので、金属材料に比較して比重が小さく、水栓全体の重量を軽量にすることができ、水栓の取扱いを容易とする。また、内部部材の外周面の表面粗さは、射出成形するときの型の表面の粗さによって決定されるので、型の表面を滑らかにすることにより、形成される内部部材の外周面の表面を滑らかにすることができる。したがって、Ｏリング等のシール部材が接触する部分について内部部材の研削・研磨等の二次加工を不要とすることができる。さらに、内部部材の形状が簡単な形状とすることができるので、この場合、射出一体成形が容易となり、大量生産することができる。特に、内部部材を外部部材に嵌挿する際、シール部材はシール部以外の外部部材に接触することがなく、シール部材の位置ずれや損傷を防止することができる。また、内部部材の挿入方向への圧着強さを調整することができるので、シール部材に適した圧着強さを得ることができ、最適なシール効果を得ることができる。」という明細書記載の顕著な効果を奏するものである。以上の理由により、本件発明１が刊行物１乃至刊行物３及び甲第４号証に記載の発明を組み合わせることにより、当業者が容易に発明をすることができたとすることはできない。
　したがって、本件発明１は特許出願の際、独立して特許を受けることができるものである。
　次に、本件発明２乃至本件発明５は、本件発明１を更に限定したものであるから、上記本件発明１についての判断と同様の理由により、本件発明２乃至本件発明５が刊行物１乃至刊行物３及び甲第４号証に記載の発明を組み合わせることにより、当業者が容易に発明をすることができたとすることはできない。
　したがって、本件発明２乃至本件発明５は特許出願の際、独立して特許を受けることができるものである。
（４）むすび
　以上のとおりであるから、上記訂正請求は、特許法第１２０条の４第２項及び同条第３項で準用する同法第１２６条第２から第４項の規定に適合するので、当該訂正を認める。
［３］特許異議の申立てについての判断
（１）申立ての理由の概要
　申立人株式会社ケーブイケーは、特許請求の範囲の請求項１、２、４及び５に係る発明は、甲第１号証及び甲第２号証に基づいて当業者が容易に発明できたものであり、請求項３に係る発明は、甲第１号証乃至甲第３号証に基づいて当業者が容易に発明できたものであり、請求項６に係る発明は、甲第１号証、甲第２号証及び甲第４号証に基づいて当業者が容易に発明できたものであり、いづれの請求項も特許法第２９条第２項の規定に違反してなされたものであり、特許を受けることができないものであるから、特許を取り消すべきであると主張している。
（２）判断
　申立人株式会社ケーブイケーが提出した甲第１号証乃至甲第３号証は取消理由通知で示した刊行物１乃至刊行物３であるから、本件発明１、本件発明２、本件発明４及び本件発明５は、前記［２］（３）で示した理由により、甲第１号証に記載された発明と甲第２号証に記載された発明に基づいて当業者が容易に発明をすることができたものとすることはできない。また、その際に、甲第４号証と組み合わせても同様に当業者が容易に発明をすることができたものとすることはできない。そして、本件発明４も、前記［２］（３）で示した理由により、甲第１号証に記載された発明乃至甲第３号証に記載された発明に基づいて当業者が容易に発明をすることができたものとすることはできない。
　したがって、本件発明１乃至本件発明５は、特許法第２９条第２項の規定に違反してされたものであるとはいえない。
　また、他に本件特許を取り消すべき理由を発見しない。
　よって、結論のとおり決定する。
【異議決定日】
平成１１年１２月１３日（１９９９．１２．１３）
【訂正の要旨】
　本件特許第２７３１８４０号発明の明細書を、下記（あ）〜（ひ）のとおり訂正する。
　（あ）特許請求の範囲の請求項１の記載を、特許請求の範囲の減縮を目的として、下記のとおり訂正する。
　特許公報第１頁第１欄第１５行の「内周面にー以上の段差を有する」を
　「内周面にー以上の段差を有し、更に、前記内部部材の端面または該内部部材の外周面に形成された段差部端面と前記外部部材の内周面に形成された段差部端面との間に設けられ、前記間隙を遮断するシール部材を備える」
　（い）特許請求の範囲の請求項２の記載を、特許請求の範囲の減縮を目的として、下記のとおり訂正する。
　特許公報第２欄第２〜４行の「請求項１記載の水栓であって、前記内部部材は、該内部部材の通路を流れる流体を制御する弁装置を備えるものである水栓。」を
　「請求項１記載の水栓であって、前記外部部材は、前記シール部材が接触する前記内周面について二次加工が不要な樹脂材料で形成されている水栓。」
　（う）特許請求の範囲の請求項３の記載を、特許請求の範囲の減縮を目的として、下記のとおり訂正する。
　特許公報第２欄第６〜８行の「前記弁装置は、前記内部部材の通路に嵌挿される所定形状のハウジングを有し、該ハウジング内に流体を制御する機能の少なくとも一部を納めたものである水栓。」を
　「前記内部部材は、該内部部材の通路を流れる流体を制御する弁装置を備えるものである水栓。」
　（え）特許請求の範囲の請求項４の記載を、特許請求の範囲の減縮を目的として、下記のとおり訂正する。
　特許公報第２欄第９〜１３行の「請求項１ないし３いずれか記載の水栓であって、前記挿入穴は、前記内部部材が該内部部材の通路に流れる流体を制御する弁装置を備える場合には該弁装置と該弁装置の駆動部とを連絡する連絡口である水栓。」を
　「請求項３記載の水栓であって、前記弁装置は、前記内部部材の通路に嵌挿される所定形状のハウジングを有し、該ハウジング内に流体を制御する機能の少なくとも一部を納めたものである水栓。」
　（お）特許請求の範囲の請求項５の記載を、特許請求の範囲の減縮を目的として、下記のとおり訂正する。
　特許公報第２欄第１４行〜第３欄第３行の「請求項１ないし請求項４いずれか記載の水栓であって、前記外部部材の内周面と前記内部部材の外周面との間に設けられ、前記間隙を遮断するシール部材を備えた水栓。」を
　「請求項２ないし請求項４いずれか記載の水栓であって、前記挿入穴は、前記内部部材が該内部部材の通路に流れる流体を制御する弁装置を備える場合には該弁装置と該弁装置の駆動部とを連絡する連絡口である水栓。」
　（か）特許請求の範囲の請求項６の記載を、特許請求の範囲の減縮を目的として、下記のとおり訂正する。
　特許公報第３欄第４〜６行の「請求項１ないし請求項４いずれか記載の水栓であって、前記内部部材の端面または該内部部材の外周面に形成された段差部端面と前記外部部材の内周面との間に設けられ、前記間隙を遮断するシール部材を備えた水栓。」を削除。
　発明の詳細な説明について
　（き）明細書段落番号【０００７】（特許公報第４欄第９行）の「内周面にー以上の段差を有することを要旨とする。」を、明瞭でない記載の釈明を目的として、下記のとおり訂正する。
　「内周面にー以上の段差を有し、更に、前記内部部材の端面または該内部部材の外周面に形成された段差部端面と前記外部部材の内周面に形成された段差部端面との間に設けられ、前記間隙を遮断するシール部材を備えることを要旨とする。請求項２記載の水栓は、請求項１記載の水栓であって、記外部部材は、前記シール部材が接触する前記内周面について二次加工が不要な樹脂材料で形成されている水栓。」
　（く）明細書段落番号【０００８】（特許公報第４欄第１１行）の「請求項１記載」を、明瞭でない記載の釈明を目的として、下記のとおり訂正する。
　「請求項２記載」
　（け）明細書段落番号【０００９】（同公報第４欄第１８行）の「請求項１ないし３」を、明瞭でない記載の釈明を目的として、下記のとおり訂正する。
　「請求項２ないし４」
　（こ）明細書段落番号【００１１】（同公報第４欄第２４〜３１行）の「請求項１ないし４いずれか記載・・・構成することもできる。」を、明瞭でない記載の釈明を目的として、削除する。
　（さ）明細書段落番号【００１２】（同公報第４欄第３３行）の「請求項１記載」を、明瞭でない記載の釈明を目的として、下記のとおり訂正する。
　「請求項１又は請求項２記載」
　（し）明細書段落番号【００１２】（同公報第４欄第３８〜３９行）の「この請求項１記載」を、明瞭でない記載の釈明を目的として、下記のとおり訂正する。
　「これら各請求項に記載」
　（す）明細書段落番号【００１２】（同公報第５欄第１８行）の「研削・研磨等」を、明瞭でない記載の釈明を目的として、下記のとおり訂正する。
　「内部部材の研削・研磨等」
　（せ）明細書段落番号【００１２】（同公報第５欄第２３行）の「層を有してもよい。」を、明瞭でない記載の釈明を目的として、下記のとおり訂正する。
　「層を有してもよい。特に、請求項１記載の水栓では、内部部材を外部部材に嵌挿する際、シール部材はシール部以外の外部部材に接触することがなく、シール部材の位置ずれや損傷を防止する。また、挿入方向への圧着強さを調整することができるので、最適なシール効果を得ることができる。請求項２記載の水栓では、間隙遮断のためのシール部材が接触する外部部材内周面について二次加工が不要な樹脂材料で外部部材を形成するので、この形成された外部部材の内周面の表面は二次加工無しで滑らかなものとなる。」
　（そ）明細書段落番号【００１３】（同公報第５欄第２４行）の「請求項１記載」を、明瞭でない記載の釈明を目的として、下記のとおり訂正する。
　「これら請求項１又は請求項２記載」
　（た）明細書段落番号【００１４】（同公報第５欄第３１行）の「請求項２記載」を、明瞭でない記載の釈明を目的として、下記のとおり訂正する。
　「請求項３記載」
　（ち）明細書段落番号【０１５】（同公報第５欄第３５行）の「請求項３記載」を、明瞭でない記載の釈明を目的として、下記のとおり訂正する。
「請求項４記載」
　（つ）明細書段落番号【００１６】（同公報第５欄第３８行）の「請求項４記載」を、明瞭でない記載の釈明を目的として、下記のとおり訂正する。
　「請求項５記載」
　（て）明細書段落番号【００２０】及び【００２１】（同公報第５欄第４４行〜第６欄第３行）の「請求項５記載の水栓は、・・・得ることができる。」を、明瞭でない記載の釈明を目的として、削除する。
　（と）明細書段落番号【００５６】（同公報第１４欄第３９行）の「請求項１記載」を、明瞭でない記載の釈明を目的として、下記のとおり訂正する。
　「請求項１又は請求項２記載」
　（な）明細書段落番号【００５６】（同公報第１４欄第４４行）の「この請求項１記載」を、明瞭でない記載の釈明を目的として、下記のとおり訂正する。
　「これら請求項１又は請求項２記載」
　（に）明細書段落番号【００５６】（同公報第１５欄第２行）の「研削・研磨等」を、明瞭でない記載の釈明を目的として、下記のとおり訂正する。
　「内部部材の研削・研磨等」
　（ぬ）明細書段落番号【００５６】（同公報第１５欄第５行）の「大量生産することができる。」を、明瞭でない記載の釈明を目的として、下記のとおり訂正する。
　「大量生産することができる。特に、請求項１記載の水栓では、内部部材を外部部材に嵌挿する際、シール部材はシール部以外の外部部材に接触することがなく、シール部材の位置ずれや損傷を防止する。また、内部部材の挿入方向への圧着強さを調整することができるので、シール部材に適した圧着強さを得ることができ、最適なシール効果を得ることができる。
　請求項２記載の水栓では、間隙遮断のためのシール部材が接触する外部部材内周面について二次加工が不要な樹脂材料で外部部材を形成するので、この形成された外部部材の内周面の表面は二次加工無しで滑らかなものとなる。よって、樹脂を用いて形成された次加工が不要なことと相まって、内外部材共にシール部材が接触する部分について二次加工が不要となる。」
　（ね）明細書段落番号【００５７】（同公報第１５欄第６行）の「請求項２記載」を、明瞭でない記載の釈明を目的として、下記のとおり訂正する。
　「請求項３記載」
　（の）明細書段落番号【００５８】（同公報第１５欄第１１行）の「請求項３記載」を、明瞭でない記載の釈明を目的として、下記のとおり訂正する。
　「請求項４記載」
　（は）明細書段落番号【００５９】（同公報第１５欄第１８行）の「請求項４記載」を、明瞭でない記載の釈明を目的として、下記のとおり訂正する。
　「請求項５記載」
　（ひ）明細書段落番号【００６１】及び【００６２】（同公報第１５欄第２３〜３５行）の「請求項５記載の水栓では、・・・得ることができる。」を、明瞭でない記載の釈明を目的として、削除する。
（５４）【発明の名称】
水栓
（５７）【特許請求の範囲】
　【請求項１】　供給された流体を吐水口から吐水する水栓であって、
　前記流体が流れ込む入口と前記吐水口に繋がる出口と、該入口と出口を連通する通路とを有し、樹脂を用いて形成された内部部材と、
　前記内部部材を挿入する挿入穴と、該挿入穴に連通し、該内部部材を収納する収納空間とを有する外部部材とを備え、
　前記内部部材は、外周面に、挿入方向先端に向かって外径が小さくなる一以上の段差を有し、
　前記外部部材は、前記収納空間に収納された前記内部部材の外周面と該外部部材の内周面との間に前記内部部材の入口および／または出口と連通する間隙を形成するよう、内周面に一以上の段差を
有し、
　更に、
　前記内部部材の端面または該内部部材の外周面に形成された段差部端面と前記外部部材の内周面に形成された段差部端面との間に設けられ、前記間隙を遮断するシール部材を備え
　を特徴とする水栓。
　【請求項２】　請求項１記載の水栓であって、
　前
記外部部材は、前記シール部材が接触する前記内周面につ
　【請求項３】　請求項２記載の水栓であって、
　前
記内部部材は、該内部部材の通路を流れる流体を制御する弁装置を備えるも
　【請求項４】　
請求項３記
　前
記弁装置は、前記内部部材の通路に嵌挿される所定形状のハウジングを有し、該ハウジング内に流体を制御する機能の少なくとも一部を納めたもので
　【請求項５】　
請求項２な
　前
記挿入穴は、前記内部部材が該内部部材の通路に流れる流体を制御する弁装置を備える場合には該弁装置と該弁装置の駆動部とを連絡する連絡口である水
【発明の詳細な説明】
　【０００１】
　【産業上の利用分野】
　本発明は、水栓に関する。
　【０００２】
　【従来の技術】
　従来、この種の水栓としては、湯や水を単独で吐水できることは勿論、湯水を混合して吐水する湯水混合水栓がある。この湯水混合水栓は、そのケーシング内部に湯水の混合比を調整して混合湯水の温度を変更する湯水混合機構や湯水の切換を行なう切換機構を備える。また、湯側および水側の供給配管からこの湯水混合機構に到るまでの湯側通路と水側通路のほか、湯水混合機構から吐水口に向かう混合湯水通路が、ケーシングの内周面を利用して形成されている。
　【０００３】
　ところで、湯水混合水栓は、吐水される混合湯水の温度を変更できることから、快適な水まわりの環境の創造の一貫として急速に普及している。例えば、一般家庭の台所やバスルームは勿論、ホテルのバスルームやデパート，空港等におけるトイレ等に設置されている。
　【０００４】
　そして、湯水混合水栓の形状自体は、その多種多様な設置場所の雰囲気に合わせてたデザインとすることが求められている。このような要求に応えるために、湯水混合水栓の外観は多様な形状のケーシングが用意され、そのケーシングの内部形状に合わせて内部部材についても多種多様な形状が求められている。
　【０００５】
　【発明が解決しようとする課題】
　しかしながら、これらのデザイン化されたケーシングの内周面およびこれに合わせた内部部材の外周面の形状は、湯や水，混合湯水の通路を確保するために複雑な凹凸部を必要とし、一体成形することが困難であるという問題があった。また、複雑な形状となれば、各部の形状および強度に対する品質管理も要求される。この場合、十分な品質を維持すると、部材が複雑になるほど歩留まりが低くなるという問題があった。
　【０００６】
　本発明の水栓は、こうした問題を解決し、高精度で、大量生産に適した水栓とする
ことを目的としてなされ、次の構成を採った。
　【０００７】
　【課題を解決するための手段】
　請求項１記載の水栓は、
　供給された流体を吐水口から吐水する水栓であって、
　前記流体が流れ込む入口と前記吐水口に繋がる出口と、該入口と出口を連通する通路とを有し、樹脂を用いて形成された内部部材と、
　前記内部部材を挿入する挿入穴と、該挿入穴に連通し、該内部部材を収納する収納空間とを有する外部部材とを備え、
　前記内部部材は、外周面に、挿入方向先端に向かって外径が小さくなる一以上の段差を有し、
　前記外部部材は、前記収納空間に収納された前記内部部材の外周面と該外部部材の内周面との間に前記内部部材の入口および／または出口と連通する間隙を形成するよう、内周面に一以上の段差を
有し、
　更に、
　前記内部部材の端面または該内部部材の外周面に形成された段差部端面と前記外部部材の内周面に形成された段差部端面との間に設けられ、前記間隙を遮断するシール部材を備え
　を要旨とする。
　請求項２記載の水栓は、
　請求項１記載の水栓であって、
　
前記外部部材は、前記シール部材が接触する前記内周面について二次加工が不要な樹脂材料で形成されている。
　【０００８】
　ここで、請求
項２記
　【０００９】
　また、請求
項２な
し４い
　【００１０】
　【００１１】
　【００１２】
　【作用】
　以上のように構成された請求
項１又は請求項２記
　そして
、これら各請
項に記
　また、内部部材を樹脂により形成する場合には、内部部材の外周面の表面粗さは、射出成形するときの型の表面の粗さによって決定されるので、型の表面を滑らかにすることにより、形成される内部部材の外周面の表面を滑らかにすることも容易となる。したがって、Ｏリング等のシール部材が接触する部分につい
て内部部材の研
　内部部材を樹脂により形成する場合には、単一の樹脂によって成形されたものに限られず、異なる樹脂による二層以上として形成されてもよく、あるいは、外周面または内周面に異なる樹脂による層を有してもよい。
　特に、請求項１記載の水栓では、内部部材を外部部材に嵌挿する際、シール部材はシール部以外の外部部材に接触することがなく、シール部材の位置ずれや損傷を防止する。また、挿入方向への圧着強さを調整することができるので、最適なシール効果を得ることができる。
　請求項２記載の水栓では、間隙遮断のためのシール部材が接触する外部部材内周面について二次加工が不要な樹脂材料で外部部材を形成するので、この形成された外部部材の内周面の表面は二次加工無しで滑らかなものとなる。
　【００１３】
　また
、これら請
項１又は請求項２記
　【００１４】
　請求
項３記
　【００１５】
　請求
項４記
　【００１６】
　請求
項５記
　【００１７】
　【００１８】
　【００１９】
　【００２０】
　【００２１】
　【００２２】
　【実施例】
　以上説明した本発明の構成・作用を一層明らかにするために、以下本発明の好適な一実施例としての湯水混合水栓について説明する。
　【００２３】
　図１は本発明の一実施例に係る湯水混合水栓の平面図である。この湯水混合水栓は、本体１０と、図示しない水道管に接続される給水脚金具２０と、図示しない給湯機からの配管に接続される給湯脚金具４０とを備えている。本体１０は、外側ケーシング５０内に主要な機能部品を収納しており、その両端には、温度調節ハンドル８０および切換ハンドル１６０とを備えている。
　【００２４】
　図２は、給水脚金具２０の構造を示す図１のＩ−Ｉ線断面図である。給水脚金具２０は、止水弁３０を組み込んだハウジング２２と、後述する外側ケーシング５０の水入り口５１に接続される接続金具２４と、接続金具２４とハウジング２２とを接続・固定する締め具２８とを備えている。接続金具２４は、一端の出口２９で、外側ケーシング５０の水入り口５１に嵌合され、その先端において後述する外側ケーシング５０内に形成される水流路１４０と導通する。他端には、螺刻部を有し、螺刻部と締め具２８を螺合することで、ハウジング２２に接続・固定される。ハウジング２２の他端には、入り口２１が形成され、入り口２１外周には水道管に螺合するよう螺刻部が設けられている。なお、接続金具２４とハウジング２２との間には樹脂製のパッキン２６が装着されており、液密になるようシールされている。
　【００２５】
　ハウジング２２に組み込まれた止水弁３０は、ハウジング２２に液密に締結されたキャップ３４と、キャップ３４とハウジング２２にガイドされた弁体３２と、ストレーナ３８とを有する。弁体３２は、ハウジング２２とのガイド部３５と、端部３６とを有しており、ガイド部３５には通水時に水の通路となる開口部３７が設けられている。ガイド部３５は、ハウジング２２と噛み合っており、弁体３２を回転させることにより、弁体３２が軸方向にスライドする構成となっている。したがって、弁体３２を回転させて端部３６とハウジング２２に形成された弁座２３とを着脱させることにより、止水または通水する。通水時には、端部３６と弁座２３との隙間から流入した水は、開口部３７を通り、ストレーナ３８によりゴミを除去した後、出口２９を通って本体１０に流れ込む。
　【００２６】
　給湯脚金具４０は、給水脚金具２０と同一の構成を備え、図示しない給湯管に接続されており、湯を後述する湯流路１３０（図３参照）に導入する。この給湯脚金具４０の構成については、その説明を省略する。
　【００２７】
　図３は、図１のＩＩ−Ｉ１線断面図である。本体１０の外側ケーシング５０は、本願発明における外部部材に該当し、同図に示すように、この外側ケーシング５０内に収納された混合弁ケーシング６２と、同じく外側ケーシング５０内に収納された切換弁ケーシング６６と、混合弁ケーシング６２内に収納された混合弁カートリッジ７０と、切換弁ケーシング６６内に収納された切換弁カートリッジ１５０と、カラン出口１７０と、シャワー出口１８０とを備えている。また、外側ケーシング５０には、給水脚金具２０に接続された水入り口５１と、給湯脚金具４０に接続された湯入り口５２と、カラン出口１７０と、シャワー出口１８０とが形成されている。外側ケーシング５０の内周面には、両開端部から内部に向けて段差部５４ａ，５４ｂ，５４ｃ，５６ａ，５６ｂ，５６ｃ，５６ｄが形成されている。
　【００２８】
　一方、混合弁ケーシング６２は、図示するように外部部材たる外側ケーシング５０に収納されており、本願発明における内部部材に該当する。そして、この混合弁ケーシング６２の外周面には、外側ケーシング５０の内周面とでシールするための○リング用の凸部６３と、凸部６３と挿入端との間に段差部６４とが形成されている。凸部６３と外側ケーシング５０の内周面とには若干のクリアランスが設けられており、Ｏリング１９１ａによりシールされている。また、段差部６４での外周半径の大きい側の外周面と外側ケーシング５０の段差部５４ａでの内径の小さい側の内周面とにも若干のクリアランスが設けられており、Ｏリング１９１ｂによりシールされている。したがって、混合弁ケーシング６２の凸部６３と外側ケーシング５０の段差部５４ａとにより環状の空間が形成され、ここが、湯流路１３０として用いられる。また、混合弁ケーシング６２の挿入端の外周面と外側ケーシング５０の段差部５４ｂでの内径の小さい側の内周面とにも若干のクリアランスが設けられており、同じく○リング１９１ｃによりシールされている。したがって、混合弁ケーシング６２の段差部６４と外側ケーシング５０の段差部５４ｂとの間にも環状の空間が形成され、ここが、水流路１４２として用いられる。
　【００２９】
　また、同様に切換弁ケーシング６６も、図示するように外部部材たる外側ケーシング５０に収納されており、本願発明における内部部材に該当する。そして、この切換弁ケーシング６６の外周面には、凸部６７と、段差部６８ａ，６８ｂとが形成されており、凸部６７と外側ケーシング５０の段差部５６ａとによりシャワー出口１８０への混合湯水の流路１８４、段差部６８ａと外側ケーシング５０の段差部５６ｂとにより水流路１４０、段差部６８ｂと外側ケーシング５０の段差部５６ｃとによりカラン出口１７０への混合湯水の流路１７４とが形成されている。ここでも、各流路を遮断するため、各段差部および挿入端の外周にはＯリング１９６ａ，１９６ｂ，１９６ｃ，１９６ｄが設けられている。
　【００３０】
　外側ケーシング５０には、水流路１４０と水流路１４２とが連通するように通路５８が形成されている。また、外側ケーシング５０には、カラン出口１７０への混合湯水の流路１７４とカラン出口１７０が連通するように通路１７６が形成されている。
　【００３１】
　水入り口５１から水流路１４０に流入した水は、通路５８と水流路１４２を通って混合弁カートリッジ７０に流れ込み、湯は、湯入り口５２から流入し、湯流路１３０を通って混合弁カートリッジ７０に流れ込む。そして、混合弁カートリッジ７０において湯水が混合され、混合湯水が切換弁カートリッジ１５０を経て、カラン出口１７０またはシャワー出口１８０から流出する。なお、混合弁カートリッジ７０および切換弁カートリッジ１５０の構造については、後で詳しく説明する。
　【００３２】
　外側ケーシング５０，混合弁ケーシング６２および切換弁ケーシング６６は、エンジニアリングプラスチックの一種であるポリフェニレンスルフィド（ＰＰＳ）により形成されている。実施例の外側ケーシング５０等に用いたＰＰＳは、耐熱性・耐熱水性および耐圧性が特に優れたプラスチックである。実施例では、外側ケーシング５０等をＰＰＳにより形成したが、ＰＰＳ以外のプラスチックであっても性能的に優れたプラスチックであれば使用できることは勿論である。例えば、ポリイミド（ＰＩ）、ポリアミドイミド（ＰＡＩ）、ポリエーテルエーテルケトン（ＰＥＥＫ）、ポリェーテルスルフォン（ＰＥＳ）、ポリスルフォン（ＰＳＦ）、ポリアリレート（ＰＡＲ）、ポリエーテルイミド（ＰＥＩ）等も使用可能である。
　【００３３】
　次に、混合弁ケーシング６２内に収納される混合弁カートリッジ７０について説明する。混合弁カートリッジ７０は、流体を制御する弁装置であり、湯水を混合する感温ばね室９０と、バイアスばね室１００と、スライド室１２０とを備えている。混合弁カートリッジ７０には、混合弁ケーシング６２とにより湯流路１３４が形成されると共に、この湯流路１３４からバイアスばね室１００への湯の通路である湯側ポート１３８を有する湯側弁座１３６が形成されている。この湯流路１３４は、混合弁ケーシング６２に形成された孔１３３を介して湯流路１３０と連通している。同様に、混合弁カートリッジ７０には、混合弁ケーシング６２とにより水流路１４４が形成されると共に、この水流路１４４から感温ばね室９０への水の通路である水側ポート１４８を有する水側弁座１４６が形成されている。この水流路１４４は、混合弁ケーシング６２に形成された孔１４３を介して水流路１４２と連通している。
　【００３４】
　湯側弁座１３６と水側弁座１４６との間には、湯側弁座１３６および水側弁座１４６と着脱する可動弁体１１０が摺動自在に嵌合されている。この可動弁体１１０は、感温ばね室９０に収納された感温ばね９２のばね力をばね受け９４を介して受けると共に、バイアスばね室１００に収納されたバイアスばね１０２のばね力を受け、これらのばね力の釣合により、その位置が定まる。また、この可動弁体１１０には、バイアスばね室１００と感温ばね室９０とを連通する連通孔１１１が形成されている。
　【００３５】
　よって、湯流路１３４に流入した湯は、可動弁体１１０と湯側弁座１３６との間の湯側ポート１３８を通過してバイアスばね室１００に流入し、その後連通孔１１１を通過して感温ばね室９０内に流入する。一方、水流路１４４に流入した水は、可動弁体１１０と水側弁座１４６との間の水側ポート１４８を通過して感温ばね室９０内に流入する。このため、この感温ばね室９０内において湯水が混合され、その混合比は、可動弁体１１０とその両側の弁座との間の間隙の比で定まる。混合弁カートリッジ７０の感温ばね室９０において混合された湯水は、後述の切換弁カートリッジ１５０を経て流路１７４または流路１８４に流入し、カラン出口１７０またはシャワー出口１８０から吐水される。
　【００３６】
　感温ばね９２は、温度に応じて弾性係数が変化する金属によって形成されている。温度に応じて弾性係数が変化する金属材料としては、ニッケル・チタン合金からなる形状記憶合金（ＳＭＡ）の範疇に属する合金が知られている。このＳＭＡが温度に応じて弾性係数を変化させることにより、感温ばね９２のばね定数が温度に応じて変化する。一方、バイアスばね１０２は温度に関して一定のばね定数を有する通常のばね材料により形成されている。
　【００３７】
　スライド室１２０には、バイアスばね１０２のばね受け１２２が軸方向変位自在、かつ回転不能に混合弁カートリッジ７０の内側にスプライン嵌合されており、ばね受け１２２の内ねじには、温度調節ハンドル８０に固定されたウォーム１２４が噛み合っている。したがって、温度調節ハンドル８０を回転させることにより、ウォーム１２４が回転し、ばね受け１２２が軸方向にスライドして、バイアスばね１０２の付勢量が変化する。この結果、感温ばね９２とバイアスばね１０２との釣合が崩れて可動弁体１１０は新たな釣合の位置まで変位し、可動弁体１１０とその両側の弁座との間の新たな間隙の比となるよう湯水の混合比が変化して、混合湯水の温度が変わる。
　【００３８】
　温度調節ハンドル８０によりバイアスばね１０２の付勢量を調節することにより出湯温度を設定した後は、次に説明するように感温ばね９２とバイアスばね１０２により出湯温度が調節される。
　【００３９】
　出湯開始後、混合湯水が設定温度となり、給湯機からの給湯温度，水道水温または流量等の条件が定常状態にある時には、可動弁体１１０は、感温ばね室９０内の混合湯水の温度により発生する感温ばね９２のばね力とバイアスばね１０２のばね力との釣合により位置が決定され、静止している。この状態から、給湯機からの給湯温度、水道水温または流量等の条件が外乱により変動し、混合湯水の温度が設定温度より高くなると、感温ばね９２は、この温度変化に応じてばね定数を大きい側に変化させ、ばね力を増大させる。このことにより、感温ばね９２のばね力とバイアスばね１０２のばね力との釣合が崩れ、感温ばね９２は、バイアスばね１０２の予荷重を増加させ、可動弁体１１０を図３左方に変位させる。この可動弁体１１０の変位に従って、湯の割合が減少し、混合湯水の温度が低下する。反対に、混合湯水の温度が設定温度より低くなると、感温ばね９２は、この温度変化に応じてばね定数を小さな側へ変化させ、そのばね力を減少させる。このことにより、感温ばね９２のばね力とバイアスばね１０２のばね力との釣合が崩れ、バイアスばね１０２が感温ばね９２の付勢力に抗して可動弁体１１０を図３右方に変位させる。この可動弁体１１０の変位に従って、水の割合が減少し、混合湯水の温度が上昇する。こうした感温ばね９２の作用により混合湯水の温度は設定温度に保持される。
　【００４０】
　切換弁ケーシング６６内に収納された切換弁カートリッジ１５０も、流体を制御する弁装置であり、混合湯水の吐水・止水の切換および吐水量の調整を行なうための切換弁１５２をハウジング１５３内に回動自在に収納して備える。また、その外周には、混合湯水を流路１７４に流入させるための環状の流路１７２と同じく混合湯水を流路１８４に流入させるための環状の流路１８２とを備える。そして、内側ケーシング６０に切換弁カートリッジ１５０が水密に収納されることで、この流路１７２と流路１７４とは、切換弁ケーシング６６に形成された孔１７３を介して連通する。同様に、流路１８２と流路１８４とは、切換弁ケーシング６６に形成された孔１８３を介して連通する。この切換弁１５２には、感温ばね室９０において混合された湯水が切換弁１５２の端面から流入する流入室１５４が形成されており、この流入室１５４を覆うよう、切換弁１５２には弁体１５５が取り付けられている。一方、ハウジング１５３には、流入室１５４と流路１７２とを連通する湯水通過孔１５６と、流入室１５４と流路１８２とを連通する湯水通過孔１５７とが穿孔されている。この湯水通過孔１５６および１５７は、切換弁１５２の回転により弁体１５５を介してその開口面積を変化させる。また、切換弁１５２は切換ハンドル１６０に固定されており、切換ハンドル１６０を回転させることにより、切換弁１５２が回転する。
　【００４１】
　よって、切換ハンドル１６０を介して切換弁１５２を回転させて、切換弁１５２の弁体１５５により湯水通過孔１５６を開口することで、その開口面積に応じた吐水量の混合湯水が、流路１７２，切換弁ケーシング６６の孔１７３，流路１７４を経てカラン出口１７０から吐水される。また、弁体１５５により湯水通過孔１５７を開口することで、その開口面積に応じた吐水量の混合湯水が、流路１８２，切換弁ケーシング６６の孔１８３，流路１８４を経てシャワー出口１８０から吐水される。弁体１５５により湯水通過孔１５６および１５７のいずれをも開口しないことで止水する。したがって、上記した切換弁カートリッジ１５０により、カラン出口１７０からの混合湯水の吐水・止水、シャワー出口１８０からの混合湯水の吐水・止水の切替および吐水量の調整がなされる。
　【００４２】
　以上説明した実施例の湯水混合水栓によれば、混合弁ケーシング６２および切換弁ケーシング６６を挿入方向に向かって外径が段階的に小さくなる形状としたので、一体射出成形により形成することが容易となり、大量生産に適した形状とすることができる。また、混合弁ケーシング６２および切換弁ケーシング６６を挿入方向に向かって外形が段階的に小さくなる形状とすることにより、混合弁ケーシング６２または切換弁ケーシング６６を外側ケーシング５０に挿入する際に、シール部材が横ずれする距離を小さくすることができる。例えば、混合弁カートリッジ７０の挿入端に設置される○リング１９１ｃは、外側ケーシング５０の奥深い位置に設けられるが、外側ケーシング５０の段差部５４ｂから数ミリ外側ケーシング５０の内周面に接触しながら横ずれするだけでよい。したがって、シール部材の損傷を軽減することができる。
　【００４３】
　混合弁ケーシング６２および切換弁ケーシング６６をＰＰＳで形成したので、湯水混合水栓全体の重量が軽くなり、湯水混合水栓の運搬や取付工事時に容易に取り扱うことができる。さらに、外側ケーシング５０をもＰＰＳにより形成したので、湯水混合水栓全体の重量を軽くすることができる。また、混合弁ケーシング６２および切換弁ケーシング６６をＰＰＳにより形成したので、滑らかな表面とすることができ、外周面を研削・研磨等する工程を設ける必要がなく、短時間で組み立てることができる。さらに、外側ケーシング５０をもＰＰＳにより形成したので、内周面を研削・研磨等をする必要がない。
　【００４４】
　本実施例では、外側ケーシング５０をＰＰＳにより形成したが、金属材料を用いて形成する構成、例えば、鋳型形成する構成、金属パイプにより形成する構成であってもかまわない。また、混合湯水の温度制御にＳＭＡによる感温ばね９２を用いる構成としたが、ワックスエレメントを用いる構成も差し支えない。もとより、感温素子による温度制御を行なわない構成であってもかまわない。また、本実施例では、カランとシャワーとの選択により吐水する構成としたが、カランのみの吐水またはシャワーのみの吐水とする構成であってもかまわない。
　【００４５】
　また、外側ケーシング５０の外観形状を円筒形としたが多角柱形や楕円柱形も好適である。内部部材である混合弁ケーシング６２および切換弁ケーシング６６の外観形状も円形である必要はなく、多角形や楕円であっても差し支えない。さらに、混合弁カートリッジ７０および切換弁カートリッジ１５０を他の水栓でも適合するカートリッジ形式のものを用いたので、混合弁ケーシング６２および切換弁ケーシング６６の内周面の内径は一定であるが、内周面に凹凸部を設けた構成であってもかまわない。
　【００４６】
　次に本発明の第２の実施例について図４を用いて説明する。図４は第２実施例の湯水混合水栓の断面図である。第２実施例の湯水混合水栓は、第１実施例の湯水混合水栓における外側ケーシング５０と混合弁ケーシング６２とにより形成される各流路の構成および外側ケーシング５０と切換弁ケーシング６６とにより形成される各流路の構成が異なる点を除き、同一の構成を備える。したがって、第２実施例の湯水混合水栓の外側ケーシング５０ａと混合弁ケーシング６２ａおよび切換弁ケーシング６６ａとについて以下に説明し、その他第１実施例と同一構成部分（混合弁カートリッジ７０および切換弁カートリッジ１５０等）についての説明は省略する。
　【００４７】
　外側ケーシング５０ａは、第１の実施例の外側ケーシング５０と同様、本願発明における外部部材に該当し、その内周面には、開端部から内部に向けて段差部５５ａ，５５ｂ，５５ｃ，５７ａ，５７ｂ，５７ｃが形成されている。混合弁ケーシング６２ａは、第１の実施例の混合弁ケーシング６２と同様、本願発明における内部部材に該当し、その外周面には、Ｏリング用の凸部６３ａと、段差部６５ａ，６５ｂとが形成されている。段差部６５ａは、段差部６５ａの段差の左右（図４中の左右）において、大きい方（図４中段差部６５ａの左側）の外径は、外側ケーシング５０の段差部５５ａでの大きい方の内径より数ミリ小さく、小さい方の内径より数ミリ大きく形成され、段差部６５ａの小さい方（図中段差部６５ａの右側）の外径は、外側ケーシング５０の段差部５５ａの小さい方の内径より数ミリ小さく形成されている。したがって、混合弁ケーシング６２ａの段差部６５ａの端面と外側ケーシング５０ａの段差部５５ａの端面とが係合することにより、段差部６５ａの左右（図４中の左右）に環状の空間を形成するので、ここを、湯流路１３０ａと水流路１４２ａとして用いることができる。また、混合弁ケーシング６２ａの段差部６５ａの端面にはＯリング設置用の溝が形成されており、ここに設置されたＯリング１９２ｂが、外側ケーシング５０ａと混合弁ケーシング６２ａとが螺合することにより外側ケーシング５０ａの段差部５５ａの端面に圧着され、流路１３０ａと流路１４２ａとをシールする。また、混合弁ケーシング６２ａの段差部６５ｂの端面にもＯリング用の溝が形成されており、設置された○リング１９２ｃが、外側ケーシング５０ａの段差部５５ｂの端面に圧着されることにより、流路１４２ａをシールする。
　【００４８】
　切換弁ケーシング６６ａは、第１の実施例の切換弁ケーシング６６と同様、本願発明における内部部材に該当し、その外周面には、混合弁ケーシング６２ａの外周面に形成された段差部６５ａと同様な形状の段差部６９ａと６９ｂとが形成されている。この段差部６９ａと６９ｂが、外側ケーシング５０ａの段差部５７ａと５７ｂにそれぞれ係合することにより、段差部６９ａと６９ｂの左右（図４中の左右）に環状の空間を形成する。これにより、シャワー出口１８０への混合湯水の流路１８４ａ，水流路１４０ａおよびカラン出口１７０への混合湯水の流路１７４ａが形成される。各流路は各段差部端面に設置されたＯリング１９７ｂ，１９７ｃ，１９７ｄによりシールされる。
　【００４９】
　以上説明した第２実施例の湯水混合水栓によれば、外側ケーシング５０ａの段差部端面と混合弁ケーシング６２ａまたは切換弁ケーシング６６ａの段差部端面との間にＯリングを設置し、各流路をシールするので、Ｏリングに加わる荷重を調節することができ、シールカを強くすることができる。したがって、液密性を高くすることができる。また、段差部端面に設置されたＯリングは、混合弁ケーシング６２ａを外側ケーシング５０ａに挿着する際、外側ケーシング５０ａの内周面と接触することがないので、Ｏリングの接触による損傷を防止することができる。なお、その他の効果については第１実施例と同一である。
　【００５０】
　次に第１実施例および第２実施例における外側ケーシング５０，５０ａと混合弁ケーシング６２，６２ａまたは切換弁ケーシング６６，６６ａとの組み合わせによる流路の形成方法、および、流路のシール方法について説明する。図５は外部部材Ａと内部部材Ｂとによる流路Ｃ，Ｄの形成および流路のシールを示した模式図である。同図に示した外部部材Ａは、実施例での外側ケーシング５０，５０ａを模式したものであり、内部部材Ｂは、実施例での混合弁ケーシング６２，６２ａまたは切換弁ケーシング６６，６６ａを模式したものである。
　【００５１】
　図５（ａ）では、内部部材Ｂには、その外周面に外部部材Ａへの挿入方向に向かって段階的に外径が小さくなる段差部が設けられており、外部部材Ａには、その内周面に内部部材Ｂの外周面の段差に応じて段差が設けられている。この内部部材Ｂの段差と外部部材Ａの段差を組み合わせることにより流路Ｃ，Ｄが形成される。シール部材Ｅ，Ｆ，Ｇは、各段差部における外部部材Ａの内周面と内部部材Ｂの外周面との間に設置され、流路Ｃ，Ｄを遮断する。第１実施例の外側ケーシング５０と混合弁ケーシング６２または切換弁ケーシング６６との組み合わせがこの方法による流路の形成・シールである。
　【００５２】
　図５（ｂ）では、内部部材Ｂには、その外周面に外部部材Ａへの挿入方向に向かって段階的に外径が小さくなる段差部が設けられており、外部部材Ａには、その内周面に内部部材Ｂの外周面の段差間の長さに合わせて段差が設けられている。この内部部材Ｂの段差と外部部材Ａの段差を組み合わせることによりにより流路Ｃ，Ｄが形成される。シール部材Ｆ，Ｇは、内部部材Ｂの各段差部の端面に設置され、外部部材Ａの対応する段差部の端面に押しつけられることにより、流路Ｃ，Ｄを遮断する。第２実施例の外側ケーシング５０ａと混合弁ケーシング６２ａまたは切換弁ケーシング６６ａとの組み合わせがこの方法による流路の形成・シールである。
　【００５３】
　図５（ｃ）では、内部部材Ｂには、その外周面に外部部材Ａへの挿入方向に向かって段階的に外径が小さくなる段差部が設けられており、外部部材Ａには、その内周面に内部部材Ｂの外周面の段差部に接地する凸部が設けられている。この内部部材Ｂの段差と外部部材Ａの凸部を組み合わせることによりにより流路Ｃ，Ｄが形成される。シール部材Ｆ，Ｇは、各段差部における内部部材Ｂの外周面と外部部材Ａの凸部との間に設置され、流路Ｃ，Ｄを遮断する。また、図５（ｄ）では、内部部材Ｂは一段の段差部を有するのみで、外部部材に長さの等しい複数の凸部を設けることにより、流路Ｃ，Ｄを形成する。シール部材Ｆ，Ｇは、外部部材Ａの凸部と内部部材Ｂと外周面の間に設置され、流路Ｃ，Ｄを遮断する。
　【００５４】
　以上説明した外部部材Ａと内部部材Ｂとの組み合わせによる流路の形成方法および流路のシール方法は、単一の流路の形成方法および流路のシール方法により水栓を形成する必要はなく、複数の形成方法およびシール方法を用いて使用しても好適なことは勿論である。
　【００５５】
　以上本発明の実施例について説明したが、本発明はこうした実施例に何等限定されるものではなく、例えば、外側ケーシング５０が金属材料により形成された構成など、本発明の要旨を逸脱しない範囲内において、種々なる態様で実施し得ることは勿論である。
　【００５６】
　【発明の効果】
　以上説明したように請求
項１又は請求項２記
挿入方向先端に向かって外径が小さくなる段差を有する形状としたので、外部部材と内部部材との間に間隙を形成することができ、この間隙の一部を流体の通路として用いることができる。
　また、
これら請
項１又は請求項２記
て内部部材の研
　特に、請求項１記載の水栓では、内部部材を外部部材に嵌挿する際、シール部材はシール部以外の外部部材に接触することがなく、シール部材の位置ずれや損傷を防止することができる。また、内部部材の挿入方向への圧着強さを調整することができるので、シール部材に適した圧着強さを得ることができ、最適なシール効果を得ることができる。
　請求項２記載の水栓では、間隙遮断のためのシール部材が接触する外部部材内周面について二次加工が不要な樹脂材料で外部部材を形成するので、この形成された外部部材の内周面の表面は二次加工無しで滑らかなものとなる。よって、樹脂を用いて形成された内部部材で二次加工が不要なことと相まって、内外部材共にシール部材が接触する部分について二次加工が不要となる。
　【００５７】
　請求
項３記
　【００５８】
　請求
項４記
　【００５９】
　請求
項５記
　【００６０】
　【００６１】
　【００６２】
【図面の簡単な説明】
　【図１】
　本発明の一実施例である湯水混合水栓の外観平面図である。
　【図２】
　第１実施例の湯水混合水栓の給水脚金具２０を含む断面図である。
　【図３】
　第１実施例の湯水混合水栓の本体断面図である。
　【図４】
　第２実施例の湯水混合水栓の本体断面図である。
　【図５】
　第１実施例および第２実施例における外部部材Ａと内部部材Ｂとによる流路Ｃ，Ｄの形成および流路のシールを示した模式図である。
　【符号の説明】
　１０…本体
　２０…給水脚金具
　２１…入り口
　２２…ハウジング
　２３…弁座
　２４…接続金具
　２６…パッキン
　２８…締め具
　２９…出口
　３０…止水弁
　３２…弁体
　３４…キャップ
　３５…ガイド部
　３６…端部
　３７…開口部
　３８…ストレーナ
　４０…給湯脚金具
　５０，５０ａ…外側ケーシング
　５１…水入り口
　５２…湯入．り口
　５４ａ，５４ｂ，５４ｃ…段差部
　５５ａ，５５ｂ，５５ｃ…段差部
　５６ａ，５６ｂ，５６ｃ，５６ｄ…段差部
　５７ａ，５７ｂ，５７ｃ…段差部
　５８…通路
　５９ａ，５９ｂ…螺刻部
　６２，６２ａ…混合弁ケーシング
　６３，６３ａ…凸部
　６３ｃ…螺刻部
　６４…段差部
　６５ａ，６５ｂ…段差部
　６６，６６ａ…切換弁ケーシング
　６７，６７ａ…凸部
　６７ｃ…螺刻部
　６８ａ，６８ｂ…段差部
　６９ａ，６９ｂ，６９ｃ…段差部
　７０…混合弁カートリッジ
　８０…温度調節ハンドル
　９０…感温ばね室
　１００…バイアスばね室
　１１０…可動弁体
　１１１…連通孔
　１２０…スライド室
　１２４…ウォーム
　１３０，１３０ａ…湯流路
　１３３…孔
　１３４…湯流路
　１３６…湯側弁座
　１３８…湯側ポート
　１４０，１４０ａ…水流路
　１４２，１４２ａ…水流路
　１４３…孔
　１４４…水流路
　１４６…水側弁座
　１４８…水側ポート
　１５０…切換弁カートリッジ１５０
　１５２…切換弁
　１５３…ハウジング
　１５４…流入室
　１５５…弁体
　１５６…湯水通過孔
　１５７…湯水通過孔
　１６０…切換ハンドル１６０
　１７０…カラン出口
　１７２…流路
　１７３…孔
　１７４，１７４ａ…流路
　１７６…通路
　１８０…シャワー出口
　１８２…流路
　１８３…孔
　１８４，１８４ａ…流路
　１９１ａ，１９１ｂ，１９１ｃ…Ｏリング
　１９６ａ，１９６ｂ，１９６ｃ，１９６ｄ…Ｏリング